(57)【要約】【課題】  複数のアプリケーションが動作可能で動作中の１つのアプリケーションが表示される携帯電話端末において、アプリケーション動作中に着信があっても、動作しているアプリケーションを表示したまま操作できるようにする。【解決手段】  アプリケーションが表示され、それをユーザが操作している状態の画面４０１で着信があると、アプリケーションを表示したままピクト領域に着信アイコンを表示する画面４０２になる。画面４０２において、ハンズフリーキーを押すとアプリケーションを表示したまま操作も通話もできる画面４０３になり、発話キーを押すと通話画面４０５になり、終話キーを押すと保留画面４０４になる。また、それぞれ所定のキーを押すことにより各画面４０３，４０４，４０５間で切り替えることができる。【選択図】        図４
2005217490.tif 000002
【特許請求の範囲】
【請求項１】
実行中のアプリケーションプログラムの画面を表示している際に着信が発生した場合、前記アプリケーションプログラムの画面を表示したまま当該着信の旨を表示し、該着信表示中にユーザから着信応答の操作がなされた場合は、前記アプリケーションプログラムの画面を表示したまま通話を可能にしたことを特徴とする携帯電話端末の制御方法。
【請求項２】
実行中のアプリケーションプログラムの画面を表示している際に着信が発生した場合、前記アプリケーションプログラムの画面を表示したまま当該着信の旨を表示する表示手段と、
前記表示手段が前記着信の旨を表示している際に当該着信の応答を行うための操作手段と、
前記操作手段により前記着信の応答操作がなされた場合に前記アプリケーションプログラムの画面を表示したまま通話を可能にする制御手段とを備えたことを特徴とする携帯電話端末。
【請求項３】
前記制御手段は、前記操作手段により前記着信の応答操作がなされた場合はハンズフリーモードに設定することを特徴とする請求項２記載の携帯電話端末。
【請求項４】
前記表示手段が前記アプリケーションプログラムの画面を表示したまま前記着信の旨を表示している際に、当該着信相手の詳細情報を表示指示する指示手段を備えたことを特徴とする請求項２記載の携帯電話端末。
【発明の詳細な説明】
【技術分野】
【０００１】
本発明は、通話機能を含む複数のアプリケーションプログラムが動作可能でかつ動作中のアプリケーションプログラムを画面表示する携帯電話端末の制御方法及び携帯電話端末に関するものである。
【背景技術】
【０００２】
近年の携帯電話端末は、複数のアプリケーションプログラム（以下、アプリケーション）実行機能を搭載している。このような携帯電話端末においては、あるアプリケーションが動作中（実行中）に電話やメールが着信すると、そのアプリケーションを終了し表示を電話機能画面に切替えていた。このため、通話終了後メインメニュー画面に戻るため、ユーザが再度そのアプリケーションを起動しなければならなかった。あるいは電話やメールが着信したときに、自動的にアプリケーションが一時停止され表示を電話機能画面に切替えるようになされていた。そこで通話終了後、メインメニュー画面から着信時に動作していたアプリケーションを画面に再表示したいという要求が生じる。
【０００３】
従来より、アプリケーションの動作中に着信があったら、表示画面中のピクト領域に着信があった旨と着信相手名等を表示し、ユーザが通話ボタンを操作したときに、アプリケーションの実行を一時停止させ、表示を電話機能画面に切替え、通話終了後にそのアプリケーションを自動的に表示させ再開する技術（技術１）が提案されている。
【特許文献１】特開２００３−３１９０２０号公報
【発明の開示】
【発明が解決しようとする課題】
【０００４】
前述したように従来の携帯電話端末は、メールや動画再生、Webページ閲覧、スケジュール等のアプリケーション動作中に電話やメールが着信すると、携帯電話端末はアプリケーションの動作を一時停止し、通話終了後に一時停止したアプリケーションを再開させている。しかしながら、アプリケーション動作中に着信した電話に出てもそのアプリケーションを表示したままにしてアプリケーションを操作したいという要望があった。
上記技術１では、着信した時点で着信表示画面に切り替わり、着信に応答して通話状態になっても、通話中にアプリケーションの表示や操作を行うことはできない。
本発明は、アプリケーション動作中に着信があっても、着信応答後にそのアプリケーションの表示及び操作を行えるようにすることを課題とする。
【課題を解決するための手段】
【０００５】
本発明による携帯電話端末の制御方法は、実行中のアプリケーションプログラムの画面を表示している際に着信が発生した場合、前記アプリケーションプログラムの画面を表示したまま当該着信の旨を表示し、この着信表示中にユーザから着信応答の操作がなされた場合は、前記アプリケーションプログラムの画面を表示したまま通話を可能にしたことを特徴とするものである。
【０００６】
また、本発明による携帯電話端末は、実行中のアプリケーションプログラムの画面を表示している際に着信が発生した場合、前記アプリケーションプログラムの画面を表示したまま当該着信の旨を表示する表示手段と、前記表示手段が前記着信の旨を表示している際に当該着信の応答を行うための操作手段と、前記操作手段により前記着信の応答操作がなされた場合に前記アプリケーションプログラムの画面を表示したまま通話を可能にする制御手段とを備えたことを特徴とするものである。
【発明の効果】
【０００７】
本発明によれば、アプリケーション実行中に着信があった場合に、そのアプリケーションを表示したまま着信応答操作及び通話を行うことができる。更に通話中もアプリケーションの操作を行うことが出来る。
【発明を実施するための最良の形態】
【０００８】
以下、本発明の実施の形態を図面と共に説明する。
図１は本発明の実施の形態による携帯電話端末を示すブロック図である。
なお、本発明の携帯電話端末は、携帯電話機や携帯情報端末（ＰＤＡ）などを含むものである。
本実施の形態による携帯電話端末は、ＣＰＵ１で制御され、無線部２、アンテナ３、オーディオ制御部４、表示部５、ユーザ操作による操作部６、マイク７、スピーカ８、メモリ９からなる。アンテナ３は無線部２と接続され、基地局との間で無線信号を送受信し、受信した信号をオーディオ制御部４で制御して、スピーカ８から音を出力する。マイク7から入力した音声信号はオーディオ制御部４を介して無線部２に送信され、アンテナ３により基地局に送信する。メモリ９は、アプリケーション入力データ、電話番号やメールアドレス、スケジュール等を格納する。
【０００９】
図２は携帯電話端末の外観図である。
携帯電話端末である携帯電話機１００は、表示画面１０１と、キー入力部１０２と、終話キー１０３と、発話キー１０４と、ハンズフリーキー１０５と、スピーカ１０６と、マイク１０７と、拡声スピーカ１０８と、アンテナ１０９を具備する。
表示画面１０１は、キー入力部１０２で操作されるアプリケーションや、通信機能の状態を表示することができる。キー入力部１０２は、終話キー１０３、発話キー１０４、ハンズフリーキー１０５を含み、キー入力部１０２で電話番号を入力して発話キー１０４を押下すると、電話をかけることができ、その後、終話キー１０３を押下すると、電話を切ることができる。またハンズフリーキー１０５は、アプリケーションの画面を表示したまま通話処理が行える機能と、ハンズフリーモードに切り替える機能とを割り当てたものであり、通話中、あるいは着信中にハンズフリーキー１０５を押下すると、アプリケーションを表示したままハンズフリーモードになる。
【００１０】
図３は従来の着信時の表示動作の例を示した図である。
アプリケーション起動中画面３０１は、アプリケーションをユーザが操作している状態である。この状態で着信があると、着信画面３０２の表示に切り替わり、操作していたアプリケーションは自動終了、又は一時停止状態になる。この状態で発話キーを押下すると、通話画面３０３が表示されて通話が行われ、発話キーを押下すると、保留画面３０４が表示されて保留状態となる。この通話時は、通話画面３０３又は保留画面３０４等の表示のみで通話処理が終わるまでアプリケーションは表示されず操作もできない。
【００１１】
図４は本発明第１の実施の形態による表示方法の具体的な例（アイコン）を示した図である。
アプリケーション動作中画面４０１は、アプリケーションが起動・表示され、それをユーザが操作している状態である。この状態で着信があると、アプリケーション動作中着信画面４０２に切り替わる。このアプリケーション動作中着信画面４０２は、アプリケーションを表示したまま、画面上部のピクト領域に着信アイコン（図示では送受話器マークと「着」の文字）を表示している。この場合、例えばゲームや動画再生等のような音声を伴うアプリケーションを操作中であれば、その音声が出力されている。
【００１２】
この状態でハンズフリーキー１０５を押下すると、ハンズフリーモードに切り替わり、アプリケーションは起動・表示したまま操作でき、かつ通話もできることを示すアプリケーション動作中通話画面４０３に移行する。ハンズフリーモードになると、音声出力はスピーカ１０６から拡声スピーカ１０８に切り替わり、例えばゲームや動画再生等の音声を伴うアプリケーションを操作中であれば、発信者の音声と共にアプリケーションの音声も拡声スピーカ１０８から出力される。また、画面上部のピクト領域のアイコンが着信アイコンから通話アイコン（図示では送受話器マークと「通」の文字）へと切り替わる。
【００１３】
また、アプリケーション動作中着信画面４０２の状態で、発話キー１０４を押下すると、通常の通話画面４０５に移行する。この場合は、発信者の音声がスピーカ１０６から出力されるハンドセットモードである。
また、アプリケーション動作中着信画面４０２の状態で、発話キー１０４を押下すると通話を保留し、通話保留画面４０４に移行する。例えばゲームや動画再生等の音を伴うアプリケーションを操作中であったのであれば、アプリケーションが表示されると共にアプリケーションの音が出力されている。また、画面上部のピクト領域のアイコンが着信アイコンから保留アイコン（図示では送受話器マークと「保」の文字）へと切り替わる。
【００１４】
アプリケーション動作中通話画面４０３の状態で、発話キー１０４を押下すると、通話画面４０５に切り替わり、同時にハンズフリーモードからハンドセットモードに切り替わる。
アプリケーション動作中通話画面４０３の状態で、ハンズフリーキー１０５を押下すると、通話が保留され、通話保留画面４０４に切り替わる。
通話保留画面４０４の状態で、発話キー１０４を押下すると、通常の通話画面４０５に移行し、ハンズフリーキー１０５を押下すると、アプリケーション動作中通話画面４０３に移行する。
通話画面４０５で発話キーを押すと、アプリケーション動作中保留画面４０４に移行する。
通話画面４０５でハンズフリーキー１０５を押下すると、ハンズフリーモードに切り替わり、アプリケーション動作中通話画面４０３に移行する。
【００１５】
図５は本発明の第２の実施の形態による表示方法の具体的な例（分割表示）を示した図である。
図５ではアプリケーション動作中の画面の表示方法を変更したもので、各画面５０２，５０３、５０４は、図４の画面４０２，４０３、４０４と対応する。
本実施の形態は、図４のアイコンに代えて、各画面５０２，５０３、５０４のアプリケーション表示画面を縮小し、その空いたスペースに発信者名と電話の状態（着信、通話、保留）を示す文字を挿入して表示している。画面の切り替え方法は図４と同じなので説明を省略する。
【００１６】
図６は本発明第３の実施の形態による表示方法の具体的な例（アイコン）を示した図である。
図４の第１の実施の形態では、画面４０２の状態では発信者が誰であるかがわからない。
そこで本実施の形態においては、画面４０２と画面４０３の間、及び画面４０２と画面４０５との間で、それぞれ着信画面４０６を表示できるようにする。画面４０２から着信画面４０６に移行するには、キー入力部１０２における所定のキーをシフトキーとして用いる。着信画面４０６には、発信者名が表示されるので、ユーザは発信者が誰であるかを知ってから、ハンズフリーキー１０５を押下して画面４０３に移行するか、あるいは発話キー１０４を押下して画面４０５に移行するかを選択することができる。
尚、画面４０２と画面４０４との間で着信画面４０６を表示できるようにしてもよい。
さらに、図５においても同様に画面５０２と各画面５０３、５０４、５０５との間で着信画面４０６を表示できるようにしてもよい。
【００１７】
以上に説明した本発明の実施の形態によれば、次の効果を得ることができる。
アプリケーションの画面を起動・表示したまま通話処理が行えることにより、例えばインターネットにアクセスして、必要な情報が書かれたWebページを読んでいる最中に着信があった場合は、アプリケーションの画面を表示したまま通話処理が行える機能を割り当てたキーを押下すれば、インターネットが終了してしまったり、一時停止状態になることがなく、着信した呼に応答してもそのままWebページを閲覧できる。あるいはカメラアプリケーションの動作中に着信があっても、シャッタチャンスを逃すことなく撮影を行えると共に、通話も行える。また、メーラー、ゲーム、ブラウザなどを行うアプリケーションを表示し、アプリケーションを操作できる状態で一連の電話の動作を行うことができる。
【００１８】
また、アプリケーション画面を表示したままハンズフリーモードに移行するので、操作を必要としない。アプリケーションを操作しながら容易に通話を行うことが出来る。
また、アプリケーション動作中に電話をしている場合に、アプリケーション画面と通話画面とを切り替えることができる。さらに、アプリケーション画面から通話画面にするとハンズフリーモードから自動的にハンドセットモードに切り替わり、また通話画面からアプリケーション画面にすると、ハンドセットモードからハンズフリーモードに自動的に切り替わるので、ユーザが切替えなくてもユーザの使用に適する通話モードに設定され操作性が向上される。
【００１９】
更に、例えばアプリケーション画面時にハンズフリーモードで携帯端末の拡張スピーカの音が聞こえにくい場合や、相手の声を自分の周りに聞こえないようにしたい場合などに、ボタン一つで簡単にハンドセットモードに切り替わる。あるいは、通話画面時に携帯端末内に保存されたファイルや、動作中のアプリケーションから必要な情報を相手に声で伝えたい場合に、ボタン一つでハンズフリーモードに切り替わり、動作中のアプリケーションの情報を読みながら確実に相手に伝えることができる。また、アプリケーション画面を表示したまま電話に出ると、ハンズフリーモードになるので、イヤホンがなくてもアプリケーション画面を見ながら通話が行える。
【００２０】
また、ピクト領域で電話の状態を表すアイコンを表示するので、通信状態の表示領域が小さくなり、ピクト領域以外の領域にアプリケーションを大きく表示できる。また、アプリケーション画面を表示したまま、電話の状態を知ることができる。
また、アプリケーション画面をリサイズし、アプリケーション起動中用の電話画面とリサイズされたアプリケーション画面を同時に表示するので、アプリケーションを操作しながら、電話の状態を知ることができる。また、従来の通話画面の利便性を損なうことなく、アプリケーションの表示及び操作ができる。
さらに、アプリケーション動作中着信画面４０２の状態でシフトキーを押下することにより着信画面４０６に移行できるので、ユーザはこの着信画面４０６から発信者が誰であるかを知ってから、アプリケーションを表示したままのハンズフリーモードに移行するか、あるいは通話モードや保留モードに移行するかを選択することができる。
【図面の簡単な説明】
【００２１】
【図１】本発明の実施の形態による携帯電話端末の構成を示すブロック図である。
【図２】本発明の実施の形態による携帯電話端末の外観図である。
【図３】従来の着信時の表示動作の表示画面例を示す構成図である。
【図４】本発明の第１実施の形態による表示方法の具体的な画面表示例（アイコン）を示す構成図である。
【図５】本発明の第２の実施の形態による表示方法の画面表示例（分割表示）を示した構成図である。
【図６】本発明の第３の実施の形態による表示方法の具体的な画面表示例（アイコン）を示す構成図である。
【符号の説明】
【００２２】
１  ＣＰＵ
２  無線部
３  アンテナ
４  オーディオ制御部
５  表示部
６  操作部
７  マイク
８  スピーカ
９  メモリ
１００  携帯端末
１０１  表示画面
１０２  キー入力部
１０３  終話キー
１０４  発話キー
１０５  ハンズフリーキー
１０６  マイク
１０７  スピーカ
１０８  拡声スピーカ
１０９  アンテナ
３０１  アプリケーション動作中画面
３０２  着信画面
３０３  通話画面
３０４  保留画面
４０１  アプリケーション動作中画面
４０２  アプリケーション動作中着信画面
４０３  アプリケーション動作中通話画面
４０４  アプリケーション動作中保留画面
４０５  通話画面
５０１  アプリケーション動作中画面
５０２  アプリケーション動作中着信画面
５０３  アプリケーション動作中通話画面
５０４  アプリケーション動作中保留画面
５０５  通話画面
【図１】
2005217490.tif 000003
【図２】
2005217490.tif 000004
【図３】
2005217490.tif 000005
【図４】
2005217490.tif 000006
【図５】
2005217490.tif 000007
【図６】
2005217490.tif 000008